(57)【要約】【課題】間仕切り部材の開閉に利用する複数のコードを接続する間仕切り装置を提供する。【解決手段】本発明の間仕切り装置は、ハンガーレール２に沿って間仕切り部材６５の移動を操作可能とする間仕切り装置であって、間仕切り部材６５の開閉操作を行う為の引き操作可能な操作コード４２と、前記間仕切り部材６５に一端を接続し、他端を該操作コード４２に関連付けて接続される牽引コード５１とを備え、該牽引コード５１に対し操作コード４２を無端状に接続する接続手段が形成され、該接続手段が当該引き操作に伴ってハンガーレール２に沿って移動可能とした。【選択図】図１
2018108448.tif 000002
【特許請求の範囲】
【請求項１】
ハンガーレールに沿って間仕切り部材の移動を操作可能とする間仕切り装置であって、
間仕切り部材の開閉操作を行う為の引き操作可能な操作コードと、
前記間仕切り部材に一端を接続し、他端を該操作コードに関連付けて接続される牽引コードとを備え、
該牽引コードに対し前記操作コードを無端状に接続する接続手段が形成され、該接続手段が当該引き操作に伴って前記ハンガーレールに沿って移動可能としたことを特徴とする間仕切り装置。
【請求項２】
前記接続手段は、所定のコードイコライザを介して接続することにより形成されていることを特徴とする、請求項１に記載の間仕切り装置。
【発明の詳細な説明】
【技術分野】
【０００１】
本発明は、アコーディオンカーテンや折戸等の間仕切り装置に関する。
【背景技術】
【０００２】
アコーディオンカーテンや折戸等の間仕切り装置は、蛇腹状に伸縮可能としたカーテン材等の間仕切り部材を壁面間で引き出し、或いは一方の壁面側に畳み込んで、室内空間を適宜に区画するものである。
【０００３】
このような間仕切り装置では、ハンガーレール内を移動可能な複数のランナーを用いて間仕切り部材を吊下支持するように構成される。
【０００４】
例えばアコーディオンカーテンでは、パンタグラフ状に伸縮する骨組みにカーテン材が取着されてカーテン本体が構成され、この骨組みの一端の支軸に移動框が相対回動可能に取着され、その他端の支軸に固定框が相対回動可能に取着されている。固定框は壁面に固定され、移動框を移動させることにより、カーテン本体をハンガーレールに沿って伸縮可能としている。
【０００５】
ところで、このような間仕切り装置では、複数のコードを接続して当該カーテン材の開閉に利用することがよくある。このような複数のコードは、所定の連結部材を用いて連結することが多い。例えば、複数の比較的細いコードの一端と比較的太い操作コードの一端を接続したり切り離したりするために当該連結部材を着脱可能に構成することで、操作時の安全性、或いは施工時やメンテナンス時における作業性を改善することができる。
【０００６】
そこで、連結するコードを当該連結部材に取着するために、当該連結部材に複数のコードを挿通するための挿通孔をそれぞれ設け、この挿通孔を介して挿通された各コードの末端に結び玉を設けることにより取着する技法が知られている（例えば、特許文献１，２参照）。
【０００７】
特許文献１の技法では、連結する各コードの末端に結び玉を設け、着脱可能な連結部材（安全具）のそれぞれに取着するように構成されている。
【０００８】
特許文献２の技法では、内側連結部材と外筒部材により連結部材を構成し、連結する各コードの末端に結び玉を設けて内側連結部材の両端に着脱可能に係止させ、当該外筒部材により内側連結部材を収納可能にすることにより、当該着脱可能な連結部材を構成している。
【先行技術文献】
【特許文献】
【０００９】
【特許文献１】特開２００３−１８４４５６号公報
【特許文献２】特開２００６−９３３１号公報
【発明の概要】
【発明が解決しようとする課題】
【００１０】
前述したように、特許文献１，２の技法では、いずれも各コードの末端に結び玉を設けることにより取着するよう連結部材を構成し、各コードの抜け止めの役割を果たすようにしている。しかしながら、これらの技法では、コード径が太いコード（例えば、操作コードなど）の場合、必然的に結び玉も大きくなり、連結部材は当該結び玉を収容するスペースが必要となるため大型化することになる。
【００１１】
このような連結部材の大型化は、例えば間仕切り装置の内部、或いは間仕切り装置の設置に影響を与える外部周辺部に当該連結部材を利用する場合、間仕切り装置の側幅を不必要に大型化せざるを得なくなり居住空間を圧迫しうることや、間仕切り装置の上下方向長さ又は左右方向長さを不必要に短くせざるを得なくなり間仕切り装置を設置した際のカーテン材の開空間を狭くしうるため、好ましくない。
【００１２】
更に、当該連結部材の利用自体は、操作時の安全性、或いは施工時やメンテナンス時における作業性を改善することができるが、当該連結部材にコードを取着する度に、結び玉を形成しなければならず、作業性が良いとは云えない。
【００１３】
したがって、コード径が太いコード（例えば、操作コードなど）を取着する場合でも連結部材の小型化を図るとともに、当該連結部材に対するコードの取着に関する作業効率について改善する技法が望まれる。
【００１４】
本発明の目的は、上述の問題に鑑みて、間仕切り部材の開閉に利用する複数のコードを接続する間仕切り装置を提供することにある。
【課題を解決するための手段】
【００１５】
本発明による間仕切り装置は、ハンガーレールに沿って間仕切り部材の移動を操作可能とする間仕切り装置であって、前記間仕切り部材の開閉操作を行うための引き操作可能な操作コードと、前記間仕切り部材に一端を接続し、他端を該操作コードに関連付けて接続される牽引コードとを備え、該牽引コードに対し前記操作コードを無端状に接続する接続手段が形成され、該接続手段が当該引き操作に伴って前記ハンガーレールに沿って移動可能としたことを特徴とする。
【００１６】
また、本発明による間仕切り装置において、前記接続手段は、所定のコードイコライザを介して接続することにより形成されていることを特徴とする。
【発明の効果】
【００１７】
本発明によれば、操作時の安全性、或いは施工時やメンテナンス時における作業性を改善するとともに、コードを折り返し交差させて係止する巻締めによりコードを係止可能とする巻付軸が設けられるため、コード径が太いコード（例えば、操作コードなど）を取着する場合でも連結部材としてのコードイコライザの小型化が可能となる。更に、本発明によれば、当該巻締めによりコードの末端をコードイコライザヘと容易に係止可能となりコードの取着に関する作業効率を改善し、施工性を向上させることができる。
【図面の簡単な説明】
【００１８】
【図１】本発明による一実施形態のコードイコライザを備える間仕切り装置としてのアコーディオンカーテンの全体構成を示す正面図である。
【図２】本発明による一実施形態のコードイコライザを備える間仕切り装置としてのアコーディオンカーテンについて全閉状態時の上方から見て各要素の配置関係を示す平面図である。
【図３】本発明による一実施形態のコードイコライザを備える間仕切り装置としてのアコーディオンカーテンについて全開状態時の右端側から見て各要素の配置関係を示す側面図である。
【図４】（ａ），（ｂ）は、本発明による一実施形態のコードイコライザを構成する第１連結部及び第２連結部に関する斜視図である。
【図５】（ａ）は本発明による一実施形態のコードイコライザを構成する第１連結部の平面図であり、（ｂ）は本発明による一実施形態のコードイコライザを構成する第１連結部のＡ‐Ａ’断面図である。
【図６】（ａ）は本発明による一実施形態のコードイコライザを構成する第２連結部の平面図であり、（ｂ）は本発明による一実施形態のコードイコライザを構成する第２連結部のＢ‐Ｂ’断面図である。
【図７】（ａ）は本発明による一実施形態のコードイコライザを構成する第１連結部における第１巻付軸へのコード取着状態を示す平面図であり、（ｂ）は本発明による一実施形態のコードイコライザを構成する第１連結部における第１巻付軸へのコード取着状態を説明する正面断面図である。
【図８】（ａ）は本発明による一実施形態のコードイコライザを構成する第２連結部における第２巻付軸へのコード取着状態を示す平面図であり、（ｂ）は本発明による一実施形態のコードイコライザを構成する第２連結部における第２巻付軸へのコード取着状態を説明する正面断面図である。
【図９】（ａ）は本発明による一実施形態のコードイコライザを構成する第１連結部及び第２連結部に関する嵌合前の状態を説明する正面断面図であり、（ｂ）は本発明による一実施形態のコードイコライザを構成する第１連結部及び第２連結部に関する嵌合後の状態を説明する正面断面図である。
【図１０】（ａ），（ｂ），（ｃ），（ｄ）は本発明による一実施形態のコードイコライザの変形例を示す説明図である。
【発明を実施するための形態】
【００１９】
以下、図面を参照して、本発明による一実施形態のコードイコライザを説明する。尚、本願明細書中、図１に示すアコーディオンカーテン１の正面図に対して、図示上方及び図示下方をアコーディオンカーテン１の吊り下げ方向に準じてそれぞれ上方向（又は上側）及び下方向（又は下側）と定義し、図示右方向をアコーディオンカーテン１の右方向（又は右側）、及び、図示左方向をアコーディオンカーテン１の左方向（又は左側）、図示を視認する側をアコーディオンカーテン１の前方向（又は前側）、これに相対して奥側をアコーディオンカーテン１の後方向（又は後側）と定義して説明する。例えば、アコーディオンカーテン１の前後方向と称するときは、図１の正面図においてその図示した正面に対して垂直な方向を云う。また、高さについて言及するときは、アコーディオンカーテン１を設置する床面に対して垂直に延びる上方向の長さを云う。
【００２０】
（アコーディオンカーテンの構成）
まず、本発明による一実施形態のコードイコライザ９（後述する第１連結部９ａ及び第２連結部９ｂからなる）を適用可能な間仕切り装置としてのアコーディオンカーテン１の構成を説明する。図１は、本発明による一実施形態のコードイコライザ９を備える間仕切り装置としてのアコーディオンカーテン１の全体構成を示す正面図である。図２は、本発明による一実施形態のコードイコライザ９を備える間仕切り装置としてのアコーディオンカーテン１について全閉状態時の上方から見て各要素の配置関係を示す平面図である。図３は、本発明による一実施形態のコードイコライザ９を備える間仕切り装置としてのアコーディオンカーテン１について全開状態時の右端側から見て各要素の配置関係を示す側面図である。
【００２１】
図１〜図３に示すように、アコーディオンカーテン１は、ハンガーレール２と、ランナー３及び先頭ランナー４と、取付フレーム５と、操作ユニット６と、移動框７と、固定框８と、本発明に係るコードイコライザ９と、転向滑車ユニット１０と、滑車ユニット１１，１２と、コード調整器１３と、間仕切り部材（カーテン材６５）及びパンタグラフ状に伸縮させる骨組みとしての伸縮機構からなるカーテン本体１４と、ブラケット１５と、コードストッパ装置７０と、ソフトクローズ装置８０とを主要な構成要素としている。
【００２２】
ハンガーレール２は、カーテン材６５を吊下支持するランナー３及び先頭ランナー４が移動可能なように下端側が開口している略四角筒状の部材である。ハンガーレール２の上面にはブラケット１５と嵌合する嵌合部が設けられる。したがって、ハンガーレール２の上端面は、このブラケット１５を介して天井側の取付面に固定される。尚、ハンガーレール２の下面開口部を形成する端部は、開口を閉じる方向に傾斜して下方に向かい、その縁部は略Ｖ字形状として形成される。この略Ｖ字状の縁部は、ランナー３及び先頭ランナー４の車輪位置を案内するよう機能する。
【００２３】
ランナー３は、カーテン材６５を吊下支持するとともに、ハンガーレール２の内部を移動可能に構成される。
【００２４】
先頭ランナー４は、移動框７の上端部に固着される。より具体的には、先頭ランナー４の下端部には、段付きに折り曲げられたアタッチ部材２０が設けられる。アタッチ部材２０は、移動框７に固定する固定部２３と、先頭ランナー４に固定する吊下部材２２と、ハンガーレール２の下面開口部に差し込み、移動框７やカーテン本体１４がスライドする際に生じうる先頭ランナー４の回動を抑制するよう機能する回動案内バー２１からなる。
【００２５】
また、先頭ランナー４の右端部には、アダプタ２５が一体的に設けられ、アダプタ２５は、錘コード２９の一端が取着されるとともに、弛み防止コード２６の一端が取着される。錘コード２９の他端は、操作ユニット６内に設けられる滑車３１により向きを転向して垂れ下がり、加力手段としての錘部材３０に連結されている。弛み防止コード２６の他端は、操作ユニット６内に設けられる滑車２７により向きを転向し、ハンガーレール２の上部の複数個所に配置されるブラケット１５の内側部を挿通し、操作コード４２とともにコードイコライザ９に取着される。
【００２６】
取付フレーム５は、上下方向に立設しているフレーム部材であり、操作ユニット６を介してハンガーレール２を固着している。取付フレーム５の左端面は、移動框７の右端面が当接する部分となっている。また、取付フレーム５の内部では、先頭ランナー４に一体的に設けられたアダプタ２５から操作ユニット６内の滑車３１により向きを転向して垂れ下がる錘コード２９が挿通され、錘コード２９に連結する錘部材３０が収容されている。尚、錘部材３０は、カーテン本体１４を自動的に閉じるのに利用する質量を有している。ただし、後述するコイルスプリング６４の付勢力により、カーテン本体１４を自動的に閉じるのに錘部材３０の設置を不要とする構成とすることもできる。錘部材３０を不要とする際には、取付フレーム５の左右方向の幅を薄型化することにより、カーテン本体１４の開空間を拡大させることが可能となる。尚、滑車３１は、取付フレーム５の上に設けてもよい。
【００２７】
操作ユニット６は、ハンガーレール２の上端部に固着される。操作ユニット６には、図１の正面図に対して、アコーディオンカーテン１の前側と後側にそれぞれガイドポール４１が連結され、図２に示すように、操作コード４２の一端側の末端がガイドポール４１内部の挿通孔を通り操作グリップ４０の内部に取着される。また、操作ユニット６は、操作用プーリ４３を備え、操作用プーリ４３により、操作コード４２の他端側の末端を、ハンガーレール２の上端部にて複数個所に配設させるブラケット１５の内側部を挿通するように向きを転向させる。その後、当該操作コード４２の他端側の末端は、弛み防止コード２６とともに、コードイコライザ９に取着される。
【００２８】
また、操作ユニット６は、滑車２７を備え、滑車２７により、先頭ランナー４に一体的に設けられたアダプタ２５に一端を取着した弛み防止コード２６の他端をコードイコライザ９に取着するべく向きを転向させる。また、操作ユニット６は、滑車３１を備え、滑車３１により、先頭ランナー４に一体的に設けられたアダプタ２５に一端を取着した錘コード２９の他端を錘部材３０に連結するべく向きを転向させる。
【００２９】
移動框７は、上下方向に延伸しているフレーム状の部材であり、移動框７の取付フレーム５に当接する右端面にはクッション材７ａを有する。移動框７はカーテン本体１４の一端部を覆うように上方から見て略Ｕ字形状を有する。これにより、移動框７の内部を外から見えないようにするとともに、操作者の指や手を挟んで損傷させることを防止する。移動框７の上端側では先頭ランナー４を固着しているため、移動框７がハンガーレール２に沿って移動した際には、カーテン本体１４が併せて移動することになり、カーテン材６５の開閉が行われる。
【００３０】
固定框８は、アコーディオンカーテン１の左端部に設けられている。固定框８は、左壁面に固定され、移動しないように設けられる。尚、固定框８の右端面は、カーテン本体１４の一端部を覆うように上方から見て略Ｕ字形状を有する。
【００３１】
本発明に係るコードイコライザ９は、操作コード４２の一端及び弛み防止コード２６の一端を取着する第１連結部９ａと、２本の牽引コード５１ａ，５１ｂ（総括して、「牽引コード５１」とも称する）の各一端を取着する第２連結部９ｂとを備える。コードイコライザ９は、ブラケット１５の内側部を挿通可能な大きさを有し、操作コード４２の操作に応じてハンガーレール２の上側部にてその長尺方向に移動可能に設けられる。
【００３２】
転向滑車ユニット１０は、固定框８の上端部に固着される。転向滑車ユニット１０は、内部に滑車５２を備える。コードイコライザ９の一端部に設けられる第２連結部９ｂに取着された２本の牽引コード５１ａ，５１ｂが滑車５２を介して下方に転向してコードストッパ装置７０を経た後、牽引コード５１ａについては滑車ユニット１１を介してハンガーレール２の長尺方向と略平行に左端から右端に向けて転向し、牽引コード５１ｂについては滑車ユニット１２を介してハンガーレール２の長尺方向と略平行に左端から右端に向けて転向する。その後、牽引コード５１ａは、移動框７に固着されたコード調整器１３にて係止される。牽引コード５１ｂも同様に、移動框７に固着されたコード調整器（図示せず）にて係止される。尚、転向滑車ユニット１０は、ハンガーレール２の左端部に設けてもよい。
【００３３】
滑車ユニット１１は、転向滑車ユニット１０を経て下方に向かう牽引コード５１ａをハンガーレール２の長尺方向と略平行に左端から右端に向けて転向させる。その後、牽引コード５１ａは、移動框７に固着されたコード調整器１３にて係止される。
【００３４】
滑車ユニット１２は、転向滑車ユニット１０を経て下方に向かう牽引コード５１ｂをハンガーレール２の長尺方向と略平行に左端から右端に向けて転向させる。その後、牽引コード５１ｂは、移動框７に固着されたコード調整器（図示せず）にて係止される。
【００３５】
コード調整器１３は、移動框７に固着され、カーテン材６５が全閉状態時に、滑車ユニット１１に対する牽引コード５１ａの経路がハンガーレール２の長尺方向と略平行となるように牽引コード５１ａの長さを調整して係止する。また、コード調整器１３と同様のコード調整器（図示せず）が、牽引コード５１ｂを同様に係止するよう移動框７に固着される。
【００３６】
操作コード４２は、紐状の部材であり、その一端側の末端は操作グリップ４０の内部に取り付けられている。一方、弛み防止コード２６、及び牽引コード５１ａ，５１ｂは、操作コード４２よりも直径が小さく設けられている。即ち、弛み防止コード２６、及び牽引コード５１ａ，５１ｂについては操作者の操作の必要がないが、操作コード４２は、操作者の操作に係るものであるため、その直径は大きく設けられている。また、牽引コード５１ａ，５１ｂは、固定框８の上端部に固着した転向滑車ユニット１０内の滑車５２を介して、固定框８に固着されたコードストッパ装置７０を通過し下方に向かうため、牽引コード５１ａ，５１ｂの直径は、操作コード４２の直径よりも小さく設けられている。
【００３７】
ここで、操作コード４２、牽引コード５１ａ，５１ｂ、及び弛み防止コード２６の経路に関して改めて説明する。操作グリップ４０側から操作コード４２に沿って進行すると、操作コード４２は、ガイドポール４１の挿通孔を通り、操作用プーリ４３によってハンガーレール２の上部でその長尺方向に沿ってブラケット１５の内側部を挿通するように向きを転向させられ、弛み防止コード２６とともに、コードイコライザ９の第１連結部９ａに取着される。
【００３８】
コードイコライザ９の第２連結部９ｂに取着された２本の牽引コード５１ａ，５１ｂは、固定框８の上端部に固着した転向滑車ユニット１０内の滑車５２を介して、固定框８に固着されたコードストッパ装置７０を通過する。コードストッパ装置７０を通過した牽引コード５１ａは、滑車ユニット１１により向きを転向し、移動框７に固着されたコード調整器１３に係止される。コードストッパ装置７０を通過した牽引コード５１ｂも同様に、滑車ユニット１２により向きを転向し、移動框７に固着されたコード調整器（図示せず）に係止される。コードイコライザ９の第１連結部９ａに取着された弛み防止コード２６は、ハンガーレール２の上部でその長尺方向に沿って操作ユニット６へと向かい、操作ユニット６内の滑車２７を介して移動框７へと連結される。
【００３９】
これにより、操作グリップ４０が操作され、ハンガーレール２の上部では操作コード４２が右方向に移動すると、コードイコライザ９も右方向に移動して牽引コード５１も移動するため、牽引コード５１も移動に併せて移動框７が左方向（カーテン材６５の開方向）に移動する。この移動框７の左方向の移動に併せて移動框７の上端部に固着された先頭ランナー４に連結する弛み防止コード２６が引張られるため、当該コードイコライザ９の右方向への移動を助力し協働するようになる。
【００４０】
カーテン本体１４は、カーテン材６５及びパンタグラフ状に伸縮させる骨組みとしての伸縮機構からなり、この伸縮機構の一端部は移動框７に固定され、その他端部は固定框８に固定されている。より具体的には、図１及び図２に示すように、伸縮機構は、支軸６１及び連結軸６２を介して回動可能に端部を連結するリンク片６０と、複数のコイルスプリング６４から構成される。尚、連結軸６２は、例えば１つおきの間隔で、ランナー３の吊下部材により吊り下げられている。また、図１に示す例では、この伸縮機構は、上下方向に例えば３セット設けられているが、アコーディオンカーテン１においては、伸縮機構を設ける個数は、２つ以上であれば幾つであってもよい。
【００４１】
複数のコイルスプリング６４は、カーテン材６５を閉方向に付勢するよう、当該骨組みとして各菱形部分を構成する略平行なリンク片６０（前側リンク片と後側リンク片）との間に、カーテン材６５の厚さ方向に山形に突出する頂部近傍で連結し、複数個所にて配設されている（図２参照）。移動框７が取付フレーム５に当接している状態から移動框７を開方向に操作すると、当該骨組みが畳み込まれ、複数のコイルスプリング６４には付勢力が蓄勢される。この状態で、操作グリップ４０を手放すと、コードストッパ装置７０により牽引コード５１の移動状態を阻止するクラッチ動作が機能するときは、当該移動框７の停止位置でカーテン材６５が開状態に維持される。一方、操作グリップ４０を手放すときに、コードストッパ装置７０により牽引コード５１の移動状態を許容するクラッチ動作が機能するときは、コイルスプリング６４の付勢力により、移動框７が取付フレーム５に当接する全閉状態まで自動的に移動する。
【００４２】
リンク片６０の外側には、カーテン材６５が取り付けられている。このカーテン材６５は、平面状の布状部材や皮状部材となっている。カーテン材６５は、伸縮機構や牽引コード５１等を覆い、これらが外部から見えないようになっている。
【００４３】
ブラケット１５は、取付面に対してハンガーレール２を位置決めして固着するための部材である。このブラケット１５は、取付面に固定するための固定部と、当該ブラケット１５の本体中央部を回動支点として回動嵌合によりハンガーレール２と一体化させるための嵌合部とを有する。この固定部は、取付面とハンガーレール２の上面との間に所定のコードを挿通可能な隙間を有するように屈曲成形された形状を有する。
【００４４】
コードストッパ装置７０は、その内部を通る牽引コード５１の移動作用に伴って（即ち、操作者の操作による操作コード４２の移動作用に伴って）、牽引コード５１の移動状態を許容するか、又はその移動状態を阻止するようロックするかを切換動作する所謂クラッチ動作を行う装置であり、操作性を高めるために設けられる。ただし、コードストッパ装置７０は、本発明に係るコードイコライザ９との直接的な関係はないことから、以下、簡潔に説明する。
【００４５】
コードストッパ装置７０は、スライダ７１とクラッチ機構７２とを備えるように構成される。スライダ７１は、牽引コード５１の移動方向に回転可能な滑車７６を有し、牽引コード５１に対して滑車７６をスプリング７３の付勢力により押圧する機能を有する。クラッチ機構７２は、牽引コード５１の移動方向に回転可能なドラム７４を有する（後述するように、ドラム７４は、回転ドラム７４ａ及びブレーキドラム７４ｂの２重ドラム構造を有する。）。このドラム７４は、操作コード４２の所定の移動作用に伴って牽引コード５１の移動状態を阻止するか、又は移動状態を許容するクラッチ動作の機能を有する。また、ドラム７４は牽引コード５１に対して該滑車７６の対向側に配置される。尚、クラッチ機構７２は固定框８に固定され、スライダ７１はクラッチ機構７２に対して左右方向への移動が可能なように案内される。したがって、滑車７６とドラム７４との間に挿通する牽引コード５１は当該スプリング７３の付勢力により押圧される。
【００４６】
当該ドラムは、２重ドラム構造を有し、牽引コード５１に当接する外側には回転ドラム７４ａが位置し、内側にはブレーキドラム７４ｂが位置している。尚、ブレーキドラム７４ｂは、クラッチ機構７２によって回転不能に支持される。回転ドラム７４ａの外表面は高摩擦性の表面形状を有し、その内表面は高摺動性の表面形状を有する。また、ブレーキドラム７４ｂの外表面も高摺動性の表面形状を有する。更に、滑車７６も高摩擦性の表面形状を有するため、牽引コード５１はスプリング７３の付勢力により滑車７６とドラム７４との間で押圧されることにより、当該クラッチ動作が可能となる。
【００４７】
クラッチ動作に関して説明するに、回転ドラム７４ａの内表面とブレーキドラム７４ｂの外表面との間にクラッチボール７５が配置され、このため、回転ドラム７４ａの内表面には当該回転ドラム７４ａの軸方向（即ち、アコーディオンカーテン１の前後方向）にクラッチボール７５の移動を案内する案内溝（図示せず）が設けられる。また、ブレーキドラム７４ｂの外表面には当該クラッチ動作を作用させるガイド溝（図示せず）が設けられる。
【００４８】
ガイド溝は、当該ドラム７４の回転方向に沿って、クラッチボール７５の移動を拘束しない移動溝と、クラッチボール７５の移動を拘束するストップ溝が形成され、移動溝とストップ溝との間でクラッチボール７５が移動可能な戻り溝が形成されている。
【００４９】
したがって、クラッチボール７５は、当該回転ドラム７４ａの案内溝によって規制された状態でブレーキドラム７４ｂのガイド溝内を移動可能に案内されるようになっている。
【００５０】
その動作について説明するに、操作グリップ４０により操作コード４２をコイルスプリング６４の付勢力に抗して引き下げるときは、クラッチボール７５がガイド溝の一部を構成する移動溝（クラッチボール７５の移動を拘束しない溝）内を周回して、コードストッパ装置７０の内部を挿通する牽引コード５１が上方に移動する方向（カーテン材６５の開方向）への回転ドラム７４ａの回転が許容される。ここで、クラッチボール７５が当該移動溝内に位置している状態から操作グリップ４０を手放せば、コイルスプリング６４の付勢力により牽引コード５１が下方に移動する方向（カーテン材６５の閉方向）へ移動しはじめ、クラッチボール７５がガイド溝の一部を構成するストップ溝（クラッチボール７５の移動を拘束する溝）内へ移動してストップ溝内の終点部に係合すると、当該回転ドラム７４ａの回転が阻止され、カーテン材６５が所望位置に停止される。
【００５１】
続いて、クラッチボール７５が当該終点部に係合してカーテン材６５が所望位置に停止している状態から、操作グリップ４０により操作コード４２をコイルスプリング６４の付勢力に抗してわずかに引き下げ回転ドラム７４ａを所定角度の範囲内で回転させた後に、操作グリップ４０を手放せば、コイルスプリング６４の付勢力により、牽引コード５１が下方に移動する方向（カーテン材６５の閉方向）へ移動してクラッチボール７５が当該移動溝に移動し、回転ドラム７４ａの回転に伴ってクラッチボール７５が当該移動溝内を周回するようになり、カーテン材６５が閉方向に自動的に移動する。
【００５２】
また、カーテン材６５が所望位置に停止している状態から、更に操作コード４２をコイルスプリング６４の付勢力に抗して引き下げ、回転ドラム７４ａを所定角度以上回転させるときは、クラッチボール７５は当該ストップ溝から当該移動溝内に移動し回転ドラム７４ａの回転が許容され、この状態で操作グリップ４０を手放すと、コイルスプリング６４の付勢力による回転ドラム７４ａの回転により、クラッチボール７５がストップ溝内に移動して、カーテン材６５の移動が停止される。
【００５３】
このようなクラッチ動作を実現するクラッチボールとガイド溝に関する更なる詳細は、例えば、回転ドラム７４ａの代わりに巻取軸として、上記の移動溝の代わりに引き上げ溝及び引下げ溝として構成される特公平６−０１３８２５号公報、或いは特許第３１２４７１６号明細書等に開示される内容を参照されたい。
【００５４】
ソフトクローズ装置８０は、移動框７が取付フレーム５の方向に移動する際に、操作者以外の第三者の指や手を挟んで損傷させることが無いように、移動框７の移動の減速或いは停止を行う緩衝装置（ダンパー装置）である。ソフトクローズ装置８０については、アコーディオンカーテン１の機能を実現するために必須の構成要素ではなく、本発明に係るコードイコライザ９との直接的な関係はないことから、更なる詳細な説明は省略する。
【００５５】
このように構成したアコーディオンカーテン１は、把手を掴んでカーテン本体を引き出す構造ではなく、操作コードを介してカーテン本体を引き出す構造であるため、移動框の移動に伴い操作者が移動する必要もなく、例えば車椅子使用者が正対した状態での引き出し操作も容易となり、操作性が良好となる。
【００５６】
また、操作グリップ４０に連結する操作コード４２を用いてアコーディオンカーテン１の開閉を直接的に可能とするため、例えば操作コード４２による操作を移動框７の駆動へと間接的に伝達する機構を備える間仕切り装置と比して、操作のダイレクト感が生じるため、操作性が良好となる。
【００５７】
（コードイコライザの構成）
次に、本発明による一実施形態のコードイコライザ９（第１連結部９ａ及び第２連結部９ｂ）の構成を詳細に説明する。本実施形態のコードイコライザ９（第１連結部９ａ及び第２連結部９ｂ）は、上述したようなアコーディオンカーテン１を構成するのに好適な構成となっている。
【００５８】
本実施形態のコードイコライザ９（第１連結部９ａ及び第２連結部９ｂ）は、カーテン本体１４の開閉に利用する複数のコード（操作コード４２、弛み防止コード２６及び牽引コード５１ａ，５１ｂ）を接続可能とする連結部材として構成される装置である。ここで、前述したように、弛み防止コード２６及び牽引コード５１ａ，５１ｂは、操作コード４２よりも直径が小さく設けられている。操作コード４２は、操作者の操作に係るものであるため、その直径は大きく設けられている。
【００５９】
図４（ａ），（ｂ）は、本発明による一実施形態のコードイコライザ９を構成する第１連結部９ａ及び第２連結部９ｂに関する斜視図である。本実施形態のコードイコライザ９は、互いに嵌脱可能な第１連結部９ａ及び第２連結部９ｂから構成され、後述するように第１連結部９ａには操作コード４２及び弛み防止コード２６が取着され、第２連結部９ｂには牽引コード５１ａ，５１ｂが取着される。
【００６０】
即ち、第１連結部９ａ及び第２連結部９ｂは、詳細に後述するように、それぞれ係合凸部５０２及び係合凹部５０５を有し、係合凸部５０２及び係合凹部５０５にはそれぞれ嵌合片部５０３及び嵌合受部５０６が形成され、第１連結部９ａと第２連結部９ｂが嵌脱可能な構成となっている。また、第１連結部９ａと第２連結部９ｂの嵌合状態では、コードイコライザ９は、上述したアコーディオンカーテン１におけるハンガーレール２の上面側で左右方向の移動を考慮した略卵形状の外形を有する。
【００６１】
そして、第１連結部９ａには、１本のコードを折り返し交差させて係止する巻締めにより係止して２本の操作コード４２を形成するとともに、弛み防止コード２６を一巻きして輪を作り、二重８字結び等の環状結びで固定して取着するための第１巻付軸５０１が形成されている。また、第２連結部９ｂには、１本のコードを折り返し交差させて係止する巻締めにより係止して２本の牽引コード５１ａ，５１ｂを形成するための第２巻付軸５０４が形成されている。
【００６２】
ここで、第１連結部９ａ及び第２連結部９ｂの構成について、図４、図５及び図６を参照して詳細に説明する。まず、コードイコライザ９を構成する第１連結部９ａについて説明する。図５（ａ）は本発明による一実施形態のコードイコライザ９を構成する第１連結部９ａの平面図であり、図５（ｂ）は本発明による一実施形態のコードイコライザ９を構成する第１連結部９ａのＡ‐Ａ’断面図である。
【００６３】
第１連結部９ａには、第２連結部９ｂと係合させて一体化させるための図示するような略凸字状の係合凸部５０２が長尺に形成されており、この係合凸部５０２の中央部には２つの突起片からなる嵌合片部５０３が形成されている。
【００６４】
また、第１連結部９ａには、略コの字状の窪み部が形成され、この窪み部内で、係合凸部５０２の長尺方向に対して略垂直方向に固定される第１巻付軸５０１が形成されている。この第１巻付軸５０１は、１本のコードを折り返し交差させて係止する巻締めにより２本の操作コード４２を形成して係止可能とし、弛み防止コード２６を一巻きして輪を作り、二重８字結び等の環状結びで固定することで取着可能となっている。したがって、第１連結部９ａは、第２連結部９ｂと係合させて一体化させた際に、上下方向及び前後方向でのガタつきが生じにくい形状となっており、特に、第１巻付軸５０１の長尺方向のガタつきの抑制を鑑みて、第１巻付軸５０１の長尺方向に対して垂直方向に、係合凸部５０２が長尺な形状で形成されている。このように、第１連結部９ａは、第２連結部９ｂに対する嵌合方向と、第１巻付軸５０１の長尺方向が略垂直に交差するように、第１巻付軸５０１及び係合凸部５０２が形成されているため、第１連結部９ａ全体の強度を高めることができる。
【００６５】
また、図示して後述するが、第１巻付軸５０１に対して、操作コード４２を当該巻締めにより係止し、且つ弛み防止コード２６を当該環状結びで取着した状態では、第１巻付軸５０１におけるこれらの巻き付け部分の外形が、第１連結部９ａにおける当該窪み部内に収まり、従って第１連結部９ａ内に収容されるため、コードイコライザ９の小型化が可能となっている。
【００６６】
尚、図５に示す例では、第１巻付軸５０１は、その断面径が中央部付近で円柱状に延び、その端部付近では端部に向けて増大する形状となっている。これにより、操作コード４２及び弛み防止コード２６の巻き付け部分の外形が当該窪み部内に収まるよう当該小型化に寄与させるとともに、第１巻付軸５０１自体の強度を保つことができ、更に当該巻締めによる係止を強化させる効果がある。
【００６７】
次に、コードイコライザ９を構成する第２連結部９ｂについて説明する。図６（ａ）は本発明による一実施形態のコードイコライザ９を構成する第２連結部９ｂの平面図であり、図６（ｂ）は本発明による一実施形態のコードイコライザ９を構成する第２連結部９ｂのＢ‐Ｂ’断面図である。
【００６８】
第２連結部９ｂには、第１連結部９ａと係合させて一体化させるための図示するような略凹字状の係合凹部５０５が長尺に形成されており、この係合凹部５０５の中央部には１つの突起部からなる嵌合受部５０６が形成されている。
【００６９】
また、第２連結部９ｂには、略コの字状の窪み部が形成され、この窪み部内で、係合凹部５０５の長尺方向に対して略垂直方向に固定される第２巻付軸５０４が形成されている。この第２巻付軸５０４は、１本のコードを折り返し交差させて係止する巻締めにより２本の牽引コード５１ａ，５１ｂを形成して係止可能となっている。したがって、第２連結部９ｂは、第１連結部９ａと係合させて一体化させた際に、上下方向及び前後方向でのガタつきが生じにくい形状となっており、特に、第２巻付軸５０４の長尺方向のガタつきの抑制を鑑みて、第２巻付軸５０４の長尺方向に対して垂直方向に、係合凹部５０５が長尺な形状で形成されている。このように、第２連結部９ｂは、第１連結部９ａに対する嵌合方向と、第２巻付軸５０４の長尺方向が略垂直に交差するように、第２巻付軸５０４及び係合凹部５０５が形成されているため、第２連結部９ｂ全体の強度を高めることができる。
【００７０】
また、図示して後述するが、第２巻付軸５０４に対して、牽引コード５１ａ，５１ｂを当該巻締めにより係止した状態では、第２巻付軸５０４におけるこの巻き付け部分の外形が、第２連結部９ｂにおける当該窪み部内に収まり、従って第２連結部９ｂ内に収容されるため、コードイコライザ９の小型化が可能となっている。
【００７１】
そして、図６に示す例では、第２巻付軸５０４は、その断面径が中央部付近で円柱状に延び、その端部付近では端部に向けて増大する形状となっている。これにより、牽引コード５１ａ，５１ｂの巻き付け部分の外形が当該窪み部内に収まるよう当該小型化に寄与させるとともに、第２巻付軸５０４自体の強度を保つことができ、更に当該巻締めによる係止を強化させる効果がある。
【００７２】
次に、第１連結部９ａ及び第２連結部９ｂにおける各コードの取着状態について説明する。図７（ａ）は本発明による一実施形態のコードイコライザ９を構成する第１連結部９ａにおける第１巻付軸５０１へのコード取着状態を示す平面図であり、図７（ｂ）は本発明による一実施形態のコードイコライザを構成する第１連結部９ａにおける第１巻付軸５０１へのコード取着状態を説明する正面断面図である。また、図８（ａ）は本発明による一実施形態のコードイコライザ９を構成する第２連結部９ｂにおける第２巻付軸５０４へのコード取着状態を示す平面図であり、図８（ｂ）は本発明による一実施形態のコードイコライザ９を構成する第２連結部９ｂにおける第２巻付軸５０４へのコード取着状態を説明する正面断面図である。尚、断面図として図示するのは第１連結部９ａ及び第２連結部９ｂの部分であり、各コードについてはより理解を高めるような図示をしている点に留意する。
【００７３】
図７（ａ），（ｂ）に示すように、第１連結部９ａでは、第１巻付軸５０１において、１本のコードを折り返し交差させて係止する巻締めにより形成された２本の操作コード４２が取着され、更に、環状結びで固定した弛み防止コード２６が取着される。
【００７４】
また、図８（ａ），（ｂ）に示すように、第２連結部９ｂでは、第２巻付軸５０４において、１本のコードを折り返し交差させて係止する巻締めにより形成された２本の牽引コード５１ａ，５１ｂが取着される。
【００７５】
図７及び図８に示すように、第１巻付軸５０１に対して、操作コード４２を当該巻締めにより係止し、且つ弛み防止コード２６を当該環状結びで取着した状態では、第１巻付軸５０１におけるこれらの巻き付け部分の外形が、第１連結部９ａにおける当該窪み部内に収まり、従って第１連結部９ａ内に収容される。また、第２巻付軸５０４に対して、牽引コード５１ａ，５１ｂを当該巻締めにより係止した状態では、第２巻付軸５０４におけるこの巻き付け部分の外形が、第２連結部９ｂにおける当該窪み部内に収まり、従って第２連結部９ｂ内に収容される。このため、コードイコライザ９の小型化を実現することができる。
【００７６】
（コードイコライザにおける第１連結部と第２連結部の嵌合方法）
次に、コードイコライザ９における第１連結部９ａと第２連結部９ｂの嵌合方法について、より明確に説明する。図９（ａ）は本発明による一実施形態のコードイコライザ９を構成する第１連結部９ａ及び第２連結部９ｂに関する嵌合前の状態を説明する正面断面図であり、図９（ｂ）は本発明による一実施形態のコードイコライザ９を構成する第１連結部９ａ及び第２連結部９ｂに関する嵌合後の状態を説明する正面断面図である。尚、断面図として図示するのは第１連結部９ａ及び第２連結部９ｂの部分であり、各コードについてはより理解を高めるような図示をしている点に留意する。
【００７７】
まず、図９（ａ）に示すように、第１連結部９ａに対して操作コード４２及び弛み防止コード２６を取着した状態で、牽引コード５１ａ，５１ｂを取着した第２連結部９ｂに対して上方（又は下方）から係合凸部５０２及び係合凹部５０５が係合するように挿入する。
【００７８】
次に、図９（ｂ）に示すように、係合凸部５０２及び係合凹部５０５が係合するよう挿入された状態で、第１連結部９ａと第２連結部９ｂが、その長尺方向に略一直線となるよう移動させると、第１連結部９ａと第２連結部９ｂにおける嵌合片部５０３及び嵌合受部５０６が嵌合し、固定される。尚、第１連結部９ａと第２連結部９ｂを切り離すときは、上記の手順の逆を行えばよい。
【００７９】
以上のように、本実施形態のコードイコライザ９によれば、第１連結部９ａと第２連結部９ｂは嵌脱可能に構成されるため、操作時の安全性、或いは施工時やメンテナンス時における良好な作業性が維持される。
【００８０】
また、本実施形態のコードイコライザ９によれば、当該巻締めによりコードの末端をコードイコライザ９へと容易に係止可能であるため、コードの取着に関する作業効率を改善し、施工性を向上させることができる。
【００８１】
また、本実施形態のコードイコライザ９によれば、当該巻締めを利用した係止方法により、各巻付軸５０１，５０４における各コードの巻き付け部分の外形が、第１連結部９ａ及び第２連結部９ｂの各々の内部に収容されるため、コード径が太いコード（例えば、操作コード４２など）を取着する場合でも連結部材としてのコードイコライザ９の小型化が可能となる。
【００８２】
また、本実施形態のコードイコライザ９によれば、第１連結部９ａ及び第２連結部９ｂにおける各巻付軸５０１，５０４が、それぞれ第１連結部９ａ及び第２連結部９ｂにおける係合凸部５０２及び係合凹部５０５の長尺方向に対して略垂直方向に形成されているため、第１連結部９ａ及び第２連結部９ｂにおけるそれぞれ全体的な強度を高めることができる。
【００８３】
また、本実施形態のコードイコライザ９によれば、第１連結部９ａ及び第２連結部９ｂにおける各巻付軸５０１，５０４が、その断面径として中央部付近で円柱状に延び、その端部付近では端部に向けて増大する形状となっている。これにより、各巻付軸５０１，５０４における各コードの巻き付け部分の外形が小型化し、各巻付軸５０１，５０４自体の強度を保つことができ、更に当該巻締めによる係止を強化させることができる。このような効果を生じさせるためには、上記の他に様々な形態とすることができるが、断面径として中央部より端部で増大する形状を有するように当該巻付軸５０１，５０４を構成するのが好適である。
【００８４】
以上、特定の実施形態の例を挙げて本発明を説明したが、本発明は前述の実施形態の例に限定されるものではなく、その技術思想を逸脱しない範囲で種々変形可能である。例えば、上述の実施形態の説明では、コードイコライザ９について一実施形態のアコーディオンカーテン１への適用例を主に説明したが、本発明に係るコードイコライザ９は、複数のコードの連結を要する他の用途にも適用可能である。また、本発明に係るコードイコライザ９と同様な作用効果を生じさせる態様で、本発明に係る間仕切り装置として構成することが可能である。
【００８５】
また、上述の実施形態の説明では、特定の形状を有する係合凸部５０２及び係合凹部５０５、並びに嵌合片部５０３及び係合受部５０６について説明したが、本発明の技術思想を逸脱しない範囲で他の如何なる形状でもよく、第１連結部９ａ及び第２連結部９ｂのいずれが係合凸部５０２及び係合凹部５０５、並びに嵌合片部５０３及び係合受部５０６を有する場合でも、上述した本発明の作用効果を発揮させることができる。また、上述の実施形態の説明では、上方（又は下方）から係合凸部５０２及び係合凹部５０５が係合するように挿入する例を説明したが、片側からのみ係合可能とした形状としても良い。この場合、他方は溝が無い形状とし、確実に第１連結部９ａと第２連結部９ｂを嵌合させることができる。
【００８６】
また、上述の実施形態の説明では、特定の形状を有する第１巻付軸５０１及び第２巻付軸５０４について説明したが、要求される強度や大きさが十分に満たされる場合には本発明の技術思想を逸脱しない範囲で他の如何なる形状でもよい。例えば、図１０（ａ），（ｂ），（ｃ），（ｄ）は本発明による一実施形態のコードイコライザ９の変形例を示す説明図である。図１０（ａ），（ｂ）に示すように、第１巻付軸５０１及び第２巻付軸５０４の形状をその中央部から端部にかけて円柱状もしくは三角柱状、四角柱状又は多角柱状等の巻付軸５０１ａ，５０４ａ、或いはこれらの組み合わせ形状の巻付軸５０１ｂ，５０４ｂとすることができる。
【００８７】
また、取着するコードが十分に細い場合には第１巻付軸５０１及び第２巻付軸５０４のいずれか一方について巻付軸とする代わりに、コードの挿通孔を設けた取付軸とし、結び玉により係止するような形態とすることもできる。例えば、図１０（ｃ）に示すように、牽引コード５１a，５１ｂについては、操作コード４２と比して細いコードを利用できることから、第２巻付軸５０４の代わりに、コードの挿通孔を設けた取付軸５０４ｃとする形態とすることもできる。
【００８８】
また、図１０（ｄ）に示すように、第１連結部９ａと第２連結部９ｂの嵌脱が要求されない用途によっては、第１連結部９ａと第２連結部９ｂを一体とした形態とすることもできる。
【００８９】
また、カーテン材６５等の間仕切り部材の開閉操作を行う為に設けられる引き操作可能な操作コード４２と、当該間仕切り部材に一端を接続し、他端を操作コード４２に関連付けて接続される牽引コード５１について、その接続に用いる連結部材として、上述のようなコードイコライザ９を説明したが、間仕切り装置として構成するには、例えば、以下に述べる態様とすることができる。
【００９０】
第１には、操作コード４２を該連結部材に対して巻締めず、当該連結部材に挿通孔を設け、この挿通孔に操作コード４２を挿通させ、カシメ具などで移動不能に接続するよう構成することができる。
【００９１】
第２には、牽引コード５１と操作コード４２とを直接接続するように構成することもできる。例えば１本のコードから２本の牽引コード５１を形成する際に、１本のコードに折り目を設けて構成し、その折り目を接続部として操作コード４２を巻締めるように構成することができる。
【００９２】
第３には、該接続部の他の例として、操作コード４２と牽引コード５１とをカシメ具等で固定するように構成することができる。
【産業上の利用可能性】
【００９３】
本発明によれば、間仕切り装置に利用する複数のコードを接続する連結部材（コードイコライザ）について小型化し、コードの係止が容易となることから、コードの連結及び係止を要する用途に有用である。
【符号の説明】
【００９４】
１  アコーディオンカーテン
２  ハンガーレール
７  移動框
９  コードイコライザ
９ａ  第１連結部
９ｂ  第２連結部
２６  弛み防止コード
４２  操作コード
５１，５１ａ，５１ｂ  牽引コード
５０１  第１連結部の第１巻付軸
５０２  第１連結部の係合凸部
５０３  第１連結部の嵌合片部
５０４  第２連結部の第２巻付軸
５０５  第２連結部の係合凹部
５０６  第２連結部の嵌合受部
【図１】
2018108448.tif 000003
【図２】
2018108448.tif 000004
【図３】
2018108448.tif 000005
【図４】
2018108448.tif 000006
【図５】
2018108448.tif 000007
【図６】
2018108448.tif 000008
【図７】
2018108448.tif 000009
【図８】
2018108448.tif 000010
【図９】
2018108448.tif 000011
【図１０】
2018108448.tif 000012